(57)【要約】【課題】  高い変倍比と解像力を持つ、高性能化しやすいズームレンズを提供する。【解決手段】    物体側から順に、正の屈折力を有する第１レンズ群、負の屈折力を有する第２レンズ群、正の屈折力を有する第３レンズ群、正の屈折力を有する第４レンズ群を有し、各レンズ群の間隔を変化させて変倍を行うズームレンズにおいて、広角端から望遠端への変倍に際して、第１レンズ群と第２レンズ群の間隔は増加し、第２レンズ群と第３レンズ群の間隔は減少し、第３レンズ群と第４レンズ群の間隔は減少しながら移動し、以下の条件式（１）及び条件式（２）を満たすことを特徴とする。    ５．５＜ｆ１／ｆｗ＜８．０                                  ・・・（１）    ０．５＜Σｄ３／Σｄ４＜０．９                              ・・・（２）ただし、ｆｗは、広角端の焦点距離、ｆ１は、第１レンズ群の焦点距離、Σｄ３は、第３レンズ群における最も物体側のレンズ面から最も像側のレンズ面までの光軸上の実距離、Σｄ４は、第４レンズ群における最も物体側のレンズ面から最も像側のレンズ面までの光軸上の実距離、である。【選択図】図１
2010217549.tif 000002
【特許請求の範囲】
【請求項１】
物体側から順に、
正の屈折力を有する第１レンズ群、
負の屈折力を有する第２レンズ群、
正の屈折力を有する第３レンズ群、
正の屈折力を有する第４レンズ群を有し、
各レンズ群の間隔を変化させて変倍を行うズームレンズにおいて、
広角端から望遠端への変倍に際して、
第１レンズ群と第２レンズ群の間隔は増加し、
第２レンズ群と第３レンズ群の間隔は減少し、
第３レンズ群と第４レンズ群の間隔は減少しながら移動し、
以下の条件式（１）及び条件式（２）を満足することを特徴とするズームレンズ。
５．５＜ｆ１／ｆｗ＜８．０                                  ・・・（１）
０．５＜Σｄ３／Σｄ４＜０．９                              ・・・（２）
ただし、ｆｗは、広角端の焦点距離、
ｆ１は、第１レンズ群の焦点距離、
Σｄ３は、第３レンズ群における最も物体側のレンズ面から最も像側のレンズ面までの光軸上の実距離、
Σｄ４は、第４レンズ群における最も物体側のレンズ面から最も像側のレンズ面までの光軸上の実距離、
である。
【請求項２】
物体側から順に、
正の屈折力を有する第１レンズ群、
負の屈折力を有する第２レンズ群、
正の屈折力を有する第３レンズ群、
正の屈折力を有する第４レンズ群を有し、
各レンズ群の間隔を変化させて変倍を行うズームレンズにおいて、
広角端から望遠端への変倍に際して、
第１レンズ群と第２レンズ群の間隔は増加し、
第２レンズ群と第３レンズ群の間隔は減少し、
第３レンズ群と第４レンズ群の間隔は減少しながら移動し、
前記第１レンズ群と前記第２レンズ群は、以下の条件式（３）を満足し、
且つ、
第１レンズ群の各正レンズは、以下の条件式（４）を満足することを特徴とするズームレンズ。
７＜｜ｆ１／ｆ２｜＜２０                                    ・・・（３）
νｄ１ｐ＞６２                                              ・・・（４）
ただし、ｆ１は、第１レンズ群の焦点距離、
ｆ２は、第２レンズ群の焦点距離、
νｄ１ｐは、第１レンズ群中の各正レンズのアッベ数
である。
【請求項３】
前記第２レンズ群は、像側に凸の軌跡を描いて移動することを特徴とする、請求項１又は請求項２に記載のズームレンズ。
【請求項４】
物体側から順に、
正の屈折力を有する第１レンズ群、
負の屈折力を有する第２レンズ群、
正の屈折力を有する第３レンズ群、
正の屈折力を有する第４レンズ群を有し、
各レンズ群の間隔を変化させて変倍を行うズームレンズにおいて、
広角端から望遠端への変倍に際して、
第１レンズ群と第２レンズ群の間隔は増加し、
第２レンズ群と第３レンズ群の間隔は減少し、
第３レンズ群と第４レンズ群の間隔は減少しながら移動し、
第２レンズ群は像側に凸の軌跡を描いて移動してから、物体側に凸の軌跡を描いて移動することを特徴とするズームレンズ。
【請求項５】
以下の条件式を満足することを特徴とする請求項２乃至請求項４のいずれかに記載のズームレンズ。
５．５＜ｆ１／ｆｗ＜８．０                                  ・・・（１）
ただし、ｆ１は、第１レンズ群の焦点距離、
ｆｗは、広角端の焦点距離、
である。
【請求項６】
以下の条件式（２）を満足することを特徴とする請求項２乃至請求項５のいずれかに記載のズームレンズ。
０．５＜Σｄ３／Σｄ４＜０．９                              ・・・（２）
ただし、Σｄ３は、第３レンズ群における最も物体側のレンズ面から最も像側のレンズ面までの光軸上の実距離、
Σｄ４は、第４レンズ群における最も物体側のレンズ面から最も像側のレンズ面までの光軸上の実距離、
である。
【請求項７】
以下の条件式（３）を満足することを特徴とする請求項１若しくは請求項３乃至請求項６のいずれかに記載のズームレンズ。
７＜｜ｆ１／ｆ２｜＜２０                                    ・・・（３）
ただし、ｆ１は、第１レンズ群の焦点距離、
ｆ２は、第２レンズ群の焦点距離、
である。
【請求項８】
第１レンズ群の各正レンズは、以下の条件式（４）を満足することを特徴とする請求項１若しくは請求項３乃至請求項７のいずれかに記載のズームレンズ。
νｄ１ｐ＞６２                                              ・・・（４）
ただし、νｄ１ｐは、前記第１レンズ群中の各正レンズのアッベ数である。
【請求項９】
以下の条件式（５）を満足することを特徴とする請求項１乃至請求項８のいずれかに記載のズームレンズ。
０．７＜｜ｆ２／ｆｗ｜＜０．９                              ・・・（５）
ただし、ｆ２は、第２レンズ群の焦点距離、
ｆｗは、広角端での全系の焦点距離、
である。
【請求項１０】
以下の条件式（６）を満足することを特徴とする請求項１乃至請求項９のいずれかに記載のズームレンズ。
０．４０＜ｍ１／ｆｔ＜０．７０                              ・・・（６）
ただし、ｍ１は、広角端から望遠端での第１レンズ群の移動量であり、物体側への変位を正符合とし、
ｆｔは、望遠端での全体の焦点距離、
である。
【請求項１１】
以下の条件式（７）を満足することを特徴とする請求項１乃至請求項１０のいずれかに記載のズームレンズ。
１．２＜ｆ３／ｆ４＜５．０                                  ・・・（７）
ただし、ｆ３は、第３レンズ群の焦点距離、
ｆ４は、第４レンズ群の焦点距離、
である。
【請求項１２】
以下の条件式（８）を満足することを特徴とする請求項１乃至請求項１１のいずれかに記載のズームレンズ。
０．３＜（Ｄ３ｗ−Ｄ３ｔ）／ｆｗ＜１．０                    ・・・（８）
ただし、Ｄ３ｗは、広角端における第３レンズ群の最も像側の面から第４レンズ群の最も物体側の面までの光軸上の距離、
Ｄ３ｔは、望遠端における第３レンズ群の最も像側の面から第４レンズ群の最も物体側の面までの光軸上の距離、
である。
【請求項１３】
前記第２レンズ群は、最も物体側に２つの負レンズを有し、物体側から２つ目の負レンズが以下の条件式（９）を満足することを特徴とする請求項１乃至請求項１２のいずれかに記載のズームレンズ。
−０．４０＜Ｓｆ2n2＜０．５０                              ・・・（９）
ただし、Ｓｆ2n2＝（Ｒ2n2f＋Ｒ2n2r）／（Ｒ2n2f−Ｒ2n2r）で定義され、
Ｒ2n2fは、前記第２レンズ群中における、物体側から２つ目の負レンズの物体側面の曲率半径、
Ｒ2n2rは、前記第２レンズ群中における、物体側から２つ目の負レンズの像側面の曲率半径、
である。
【請求項１４】
前記第２レンズ群が少なくとも１面の非球面を有することを特徴とする、請求項１乃至請求項１３のいずれかに記載のズームレンズ。
【請求項１５】
前記第４レンズ群が少なくとも１面の非球面を有することを特徴とする、請求項１乃至請求項１４のいずれかに記載のズームレンズ。
【請求項１６】
前記第２レンズ群は、負の屈折力を有する前群と負の屈折力を有する後群から構成され、
近距離の被写体に対して第２レンズ群が前記前群と前記後群の間隔を変えながら光軸方向に移動することによって合焦することを特徴とする請求項１乃至請求項１５のいずれかに記載のズームレンズ。
【請求項１７】
変倍比が４以上であることを特徴とする請求項１乃至請求項１６のいずれかに記載のズームレンズ。
【発明の詳細な説明】
【技術分野】
【０００１】
本発明は、ズームレンズに関し、特に、一眼レフカメラ用交換レンズ等に用いられる広角から中望遠又は望遠域を含む高変倍比を持つズームレンズに関するものである。
【背景技術】
【０００２】
従来、一眼レフカメラ用交換レンズ等に用いられる広角から中望遠又は望遠に到る焦点距離域をカバーするような高変倍比を持つズームレンズとしては、特許文献１、特許文献２又は特許文献３等に示されているような、物体側から順に、正の屈折力を有する第１レンズ群、負の屈折力を有する第２レンズ群、正の屈折力を有する第３レンズ群、正の屈折力を有する第４レンズ群を有するズームレンズが知られている。このような構成をとる理由としては、変倍比を拡大しやすいことや、正群先行の構成による全長の小型化ができること等があげられる。
【先行技術文献】
【特許文献】
【０００３】
【特許文献１】特開平８−２２０４３９号号公報
【特許文献２】特開２００３−１７７３７号公報
【特許文献３】特開２００３−２４１０９７号公報
【発明の概要】
【発明が解決しようとする課題】
【０００４】
一方、近年、デジタル一眼レフカメラの普及に伴い、銀塩３５ｍｍフィルム等に対して小型なイメージサークルの撮像素子を持つカメラに最適化した交換レンズが求められるようになっている。このようなデジタルカメラ用の交換レンズに対しては、従来の銀塩３５ｍｍフィルム用の交換レンズよりも求められる解像力が高く、色収差の許容量も小さくなっている。
【０００５】
また、全系の焦点距離に対するバックフォーカスの割合がより大きくなり、一般的によりレトロフォーカスのパワー配置にしなければならなくなっている。
【０００６】
また、従来の高変倍比のズームレンズは、倍率色収差の影響等により、特に望遠端での解像力が広角端に対して低く、さらなる高解像力が要求されている。
【０００７】
さらに、ズームレンズの仕様としては、より高い変倍比や、最至近撮影距離の短縮等が求められており、それと共に小型化や低コスト化の両立も要求されている。
【０００８】
本発明はこのような状況に鑑みてなされたものであり、その目的は、高い変倍比と解像力を持つ、高性能化しやすいズームレンズを提供することである。
【課題を解決するための手段】
【０００９】
上記目的を達成するために、本発明のズームレンズの１つ目の構成は、物体側から順に、正の屈折力を有する第１レンズ群、負の屈折力を有する第２レンズ群、正の屈折力を有する第３レンズ群、正の屈折力を有する第４レンズ群を有し、各レンズ群の間隔を変化させて変倍を行うズームレンズにおいて、広角端から望遠端への変倍に際して、第１レンズ群と第２レンズ群の間隔は増加し、第２レンズ群と第３レンズ群の間隔は減少し、第３レンズ群と第４レンズ群の間隔は減少しながら移動し、以下の条件式（１）及び条件式（２）を満足することを特徴とするものである。
５．５＜ｆ１／ｆｗ＜８．０                                  ・・・（１）
０．５＜Σｄ３／Σｄ４＜０．９                              ・・・（２）
ただし、ｆｗは、広角端の焦点距離、
ｆ１は、第１レンズ群の焦点距離、
Σｄ３は、第３レンズ群における最も物体側のレンズ面から最も像側のレンズ面までの光軸上の実距離、
Σｄ４は、第４レンズ群における最も物体側のレンズ面から最も像側のレンズ面までの光軸上の実距離、
である。
【００１０】
このような構成をとる理由と作用について説明する。
【００１１】
前述のように、デジタルカメラ用のズームレンズにおいては、焦点距離に対する必要なバックフォーカスの割合がより大きくなっているため、所謂レトロフォーカスのパワー配置をより強くし、同時に高変倍比化と小型化等の要求とを両立させる必要がある。
【００１２】
条件式（１）は、第１レンズ群のパワーの広角端での全体のパワーに対する比を規定したものである。条件式（１）の上限を上回って第１レンズ群のパワーが強くなると、特に望遠端における倍率色収差が大きくなり、求められる解像力が得られなくなる。また、（条件式（１）の下限を下回って第１レンズ群のパワーが小さくなると、全系のズーム比の確保が困難になると共に、レンズ全長の短縮が困難になる。
【００１３】
条件式（１）について、以下の条件式（１）’を満足すると、さらに良い。
５．６＜ｆ１／ｆｗ＜７．４                                  ・・・（１）'
【００１４】
さらに、以下の条件式（１）''を満足すると、なお良い。
６．５＜ｆ１／ｆｗ＜７．２                                  ・・・（１）''
【００１５】
また、条件式（２）は、第３レンズ群の厚さに対する第４レンズ群の厚さの比を規定したものである。条件式（２）の上限を上回って第３レンズ群が厚くなると、変倍に必要なスペースが減少し、各群のパワーが強くなり収差の発生量が大きくなる。また、第４レンズ群に対する第３レンズ群の像面湾曲補正の負担の割合が増え、第３レンズ群と第４レンズ群が偏心したときの性能劣化に与える影響が大きくなる。また、条件式（２）の下限を下回って第３レンズ群が薄くなると、第３レンズ群での球面収差、軸上色収差の発生量が大きくなりすぎて、ズームにおける変動も大きくなり、望ましくない。
【００１６】
条件式（２）について、以下の条件式（２）’を満足すると、さらに良い。
０．５５＜Σｄ３／Σｄ４＜０．８                            ・・・（２）'
【００１７】
さらに、以下の条件式（２）''を満足すると、なお良い。
０．６５＜Σｄ３／Σｄ４＜０．７２                          ・・・（２）''
【００１８】
本発明のズームレンズの２つ目の構成は、物体側から順に、正の屈折力を有する第１レンズ群、負の屈折力を有する第２レンズ群、正の屈折力を有する第３レンズ群、正の屈折力を有する第４レンズ群を有し、各レンズ群の間隔を変化させて変倍を行うズームレンズにおいて、広角端から望遠端への変倍に際して、第１レンズ群と第２レンズ群の間隔は増加し、第２レンズ群と第３レンズ群の間隔は減少し、第３レンズ群と第４レンズ群の間隔は減少しながら移動し、前記第１レンズ群と前記第２レンズ群は、以下の条件式（３）を満足し、且つ、前記第１レンズ群中の各正レンズは、以下の条件式（４）を満足することを特徴とするものである。
７＜｜ｆ１／ｆ２｜＜２０                                    ・・・（３）
νｄ１ｐ＞６２                                              ・・・（４）
ただし、ｆ１は、第１レンズ群の焦点距離、
ｆ２は、第２レンズ群の焦点距離、
νｄ１ｐは、第１レンズ群中の各正レンズのアッベ数
である。
【００１９】
このような構成をとる理由と作用について説明する。
【００２０】
条件式（３）は、第１レンズ群のパワーの第２レンズ群のパワーに対する比を規定したものである。条件式（３）の上限を上回って第１レンズ群のパワーが強くなると、必要なバックフォーカスの確保が困難になる。また、入射瞳の第１レンズ群入射面からの距離が大きくなって、広角端の広画角化と前玉径の小型化の両立も困難になる。条件式（３）の下限を下回って第１レンズ群のパワーが小さくなると、第２レンズ群の変倍比が小さくなって全系のズーム比の確保が困難になると共に、レンズ全長の短縮が困難になる。
【００２１】
条件式（３）について、以下の条件式（３）'を満足するとさらに良い。
８．０＜｜ｆ１／ｆ２｜＜１０．０                            ・・・（３）'
【００２２】
さらに、以下の条件式（３）''を満足するとなお良い。
８．３＜｜ｆ１／ｆ２｜＜９．０                              ・・・（３）''
【００２３】
また、条件式（４）の下限を下回ると高変倍化することによって、第１レンズ群で発生する収差が望遠端での解像力の低下に大きく影響し、特に倍率色収差の補正が難しくなる。
【００２４】
条件式（４）について、以下の条件式（４）' を満足するとさらに良い。
νｄ１ｐ＞６５                                              ・・・（４）'
【００２５】
さらに、以下の条件式（４）''を満足するとなお良い。
νｄ１ｐ＞８０                                              ・・・（４）''
【００２６】
本発明のズームレンズの３つ目の構成は、物体側から順に、正の屈折力を有する第１レンズ群、負の屈折力を有する第２レンズ群、正の屈折力を有する第３レンズ群、正の屈折力を有する第４レンズ群を有し、各レンズ群の間隔を変化させて変倍を行うズームレンズにおいて、広角端から望遠端への変倍に際して、第１レンズ群と第２レンズ群の間隔は増加し、第２レンズ群と第３レンズ群の間隔は減少し、第３レンズ群と第４レンズ群の間隔は減少しながら移動し、第２レンズ群は像側に凸の軌跡を描いて移動してから、物体側に凸の軌跡を描いて移動することを特徴とするものである。
【００２７】
このような構成をとる理由と作用について説明する。
【００２８】
まず、第２レンズ群が変倍に際して、広角端付近で像側に凸の軌跡を描いて移動する理由について説明する。
【００２９】
広角端付近での変倍は第１レンズ群と第２レンズ群の空気間隔を広げることによる変倍作用と、第３レンズ及び第４レンズ群を物体側へ移動させることによる変倍作用のバランスを取りながら変倍していくことが、非点収差や球面収差の変動のバランスをとる上で望ましい。しかし、変倍に際して広角端付近において、第１レンズ群と第２レンズ群の空気間隔を広げることにより第１レンズ群を通る軸外主光線の光線高が高くなり、第１レンズ群の径方向のサイズ拡大が問題となる。そこで、第２レンズ群を像側へ移動させることにより変倍作用を持たせ、第１レンズ群と第２レンズ群の空気間隔を広げることによる変倍作用の負担を軽減し、第１レンズ群の径方向のサイズが拡大しない程度にバランスよく変倍することが鏡筒サイズと収差のバランスをとる上で望ましい。結果的に第２レンズ群は像側へ移動する軌跡をとる。
【００３０】
そして、ある程度変倍されると、画角が小さくなるため、第１レンズ群と第２レンズ群の間隔を広げても第１レンズ群を通る周辺主光線の光線高が高くならないため、第２レンズ群が像側へ移動することによる変倍作用は要らなくなり，今度は第３レンズ群及び第４レンズ群が物体側へ移動するためのスペースが必要となるため、結果的に第２レンズ群は反転して物体側へ移動する。
【００３１】
次に、第２レンズ群が変倍時に望遠端付近で物体側に凸の軌跡を描いて移動する理由について説明する。変倍時の望遠端付近では、第１レンズ群と第２レンズ群の間隔が広がりすぎることにより全長が大きくなってしまうことを防ぐために、第２レンズ群が像側へ動くことによる変倍作用を再度もたせて、第１レンズ群と第２レンズ群の間隔増大による望遠端の全長拡大を抑えることが望ましい。結果的に第２レンズ群は再び反転して像側へ移動する軌跡をとり、鏡筒の小型化と収差補正のバランスをとることができる。
【００３２】
また本発明のズームレンズは、第２レンズ群のパワーについて以下の条件式（５）を満足するようにすると良い。
０．７＜｜ｆ２／ｆｗ｜＜０．９                              ・・・（５）
ただし、ｆ２は、前記第２レンズ群の焦点距離、
ｆｗは、広角端での全系の焦点距離、
である。
【００３３】
条件式（５）の上限を上回ると、第２レンズ群のパワーが弱くなり過ぎるため、変倍比を大きくするには、移動量が大きくなり、結果的に鏡筒のサイズが大きくなってしまう。条件式（５）の下限を下回ると、パワーが強くなりすぎるため、像面湾曲や歪曲収差等の諸収差の補正が困難になる。
【００３４】
条件式（５）について、以下の条件式（５）' を満足するとさらに良い。
０．７５＜｜ｆ２／ｆｗ｜＜０．９０                            ・・・（５）'
【００３５】
さらに、以下の条件式（５）''を満足するとなお良い。
０．８０＜｜ｆ２／ｆｗ｜＜０．８５                          ・・・（５）''
【００３６】
さらに、本発明のズームレンズは、第１レンズ群の移動量については、以下の条件式（６）を満足するようにすると良い。
０．４０＜ｍ１／ｆｔ＜０．７０                              ・・・（６）
ただし、ｍ１は、広角端から望遠端での第１レンズ群の移動量であり、物体側への変位を正符合とし、
ｆｔは、望遠端での全体の焦点距離、
である。
【００３７】
条件式（６）の上限を上回ると、望遠端での全長が大きくなり、広角端での鏡筒のサイズに対して大きくなりすぎるため、レンズ枠の構成などが困難になる。条件式（６）の下限を下回ると、広角端での全長が大きくなり、入射瞳位置も像側に移動するため、第１レンズ群の径も大きくなってしまう。または、望遠端における全長が極端に小さくなるため、変倍のための各群の移動量が小さくなり、各群のパワーが大きくなりすぎてしまい、像面湾曲や歪曲収差の補正ができなくなってしまう。
【００３８】
条件式（６）について、以下の条件式（６）' を満足するとさらに良い。
０．４４＜ｍ１／ｆｔ＜０．６２                              ・・・（６）'
【００３９】
さらに、以下の条件式（６）''を満足するとなお良い。
０．４７＜ｍ１／ｆｔ＜０．５０                              ・・・（６）''
【００４０】
さらに、本発明のズームレンズは、第３レンズ群と第４レンズ群の焦点距離の比について以下の条件式（７）を満足すると良い。
１．２＜ｆ３／ｆ４＜５．０                                  ・・・（７）
ただし、ｆ３は、第３レンズ群の焦点距離、
ｆ４は、第４レンズ群の焦点距離、
である。
【００４１】
条件式（７）の上限を上回ると、第３レンズ群のパワーが強くなり、必要なバックフォーカスの確保が困難になる。また、条件式（７）の下限を下回って第３レンズ群のパワーが小さくなると、第４レンズ群での非点収差やコマ収差の発生量が大きくなりすぎ、また、ズーム時の非点収差の変動も大きくなって望ましくない。
【００４２】
条件式（７）について、以下の条件式（７）' を満足するとさらに良い。
１．５＜ｆ３／ｆ４＜４．０                                  ・・・（７）'
【００４３】
さらに、以下の条件式（７）''を満足するとなお良い。
１．６＜ｆ３／ｆ４＜２．５                                  ・・・（７）''
【００４４】
さらに、本発明のズームレンズは、以下の条件式（８）を満足することが好ましい。
０．３＜（Ｄ３ｗ−Ｄ３ｔ）／ｆｗ＜１．０                    ・・・（８）
ただし、Ｄ３ｗは、広角端における第３レンズ群の最も像側の面から第４レンズ群の最も物体側の面までの光軸上の距離、
Ｄ３ｔは、望遠端における第３レンズ群の最も像側の面から第４レンズ群の最も物体側の面までの光軸上の距離、
である。
【００４５】
条件式（８）の上限を上回ると、広角端において第４レンズ群側へ近づかなければならなくなるため、バックフォーカスの確保が困難になってしまう。また、バックフォーカスを確保するために、第２レンズ群のパワーを小さくすると、歪曲収差や非点収差の補正が困難になる。また、条件式（８）の下限を下回ると、変倍における非点収差等の変動の補正が困難になる。また、第３レンズ群と第４レンズ群との間隔や偏心の変動に対する結像性能の劣化が大きくなる。
【００４６】
条件式（８）について、以下の条件式（８）' を満足するとさらに良い。
０．３９＜（Ｄ３ｗ−Ｄ３ｔ）／ｆｗ＜０．８０                ・・・（８）'
【００４７】
さらに、以下の条件式（８）''を満足するとなお良い。
０．４５＜（Ｄ３ｗ−Ｄ３ｔ）／ｆｗ＜０．７５                ・・・（８）''
【００４８】
さらに、本発明のズームレンズでは、第２レンズ群は最も物体側に２つの負レンズを有し、物体側から２つ目の負レンズが以下の条件式（９）を満足するとよい。
−０．４０＜Ｓｆ2n2＜０．５０                              ・・・（９）
ただし、Ｓｆ2n2＝（Ｒ2n2f＋Ｒ2n2r）／（Ｒ2n2f−Ｒ2n2r）で定義され、
Ｒ2n2fは、前記第２レンズ群中における、物体側から２つ目の負レンズの物体側面の曲率半径、
Ｒ2n2rは、前記第２レンズ群中における、物体側から２つ目の負レンズの像側面の曲率半径、
である。
【００４９】
条件式（９）の上限を上回ると、像側面の曲率が大きくなりすぎ、特に広角端での歪曲収差や像面湾曲などの軸外収差の発生が大きくなってしまう。条件式（９）の下限を下回ると、同様に物体側面の曲率が大きくなりすぎて、広角端での軸外諸収差の発生が過大になる。
【００５０】
条件式（９）について、以下の条件式（９）' を満足するとさらに良い。
−０．３５＜Ｓｆ2n2＜０．４２                              ・・・（９）'
【００５１】
さらに、以下の条件式（９）''を満足するとなお良い。
−０．３０＜Ｓｆ2n2＜０．３７                              ・・・（９）''
【００５２】
さらに、本発明のズームレンズにおいて、第２レンズ群に非球面を有することにより、主に非点収差、歪曲収差等の補正を効率的に行うことができる。特に、第２レンズ群の最も物体側に非球面レンズを配置することで、歪曲収差等を効率的に補正することができる。
【００５３】
さらに、本発明のズームレンズにおいて、第４レンズ群に非球面を有することにより、主に非点収差、コマ収差等の補正を効率的に行うことができる。特に、第４レンズ群の最も物体側に正のパワーをもつ非球面レンズを配置することで、コマ収差等を効率的に補正することができる。また、第４レンズ群の最も像側に非球面レンズを配置することで、非点収差等を効率的に補正することができる。非球面レンズを２枚配置すると、さらに良い。
【００５４】
さらに、本発明のズームレンズにおいて、第２レンズ群を負の屈折力を有する前群と負の屈折力を有する後群から構成し、前群と後群の間隔を変化させながら第２レンズ群全体を光軸方向に移動させて合焦することにより、近距離の被写体に対する合焦に伴う非点収差の変動を小さく抑えることができる。
【００５５】
本発明のような構成は、変倍比が４以上であるような高変倍比のズームレンズに対してより効果的である。変倍比が７以上であると、より効果的である。また、変倍比が１０以上であると、さらに効果的である。
【発明の効果】
【００５６】
以上のように、本発明によれば、小型化や低コスト化の両立した高性能化しやすいズームレンズを提供することができる。
【図面の簡単な説明】
【００５７】
【図１】実施例１の光学系の断面図である。
【図２】実施例２の光学系の断面図である。
【図３】実施例３の光学系の断面図である。
【図４】実施例４の光学系の断面図である。
【図５】実施例５の光学系の断面図である。
【図６】実施例６の光学系の断面図である。
【図７】実施例７の光学系の断面図である。
【図８】実施例８の光学系の断面図である。
【図９】実施例１の光学系の無限遠合焦状態の諸収差図である。
【図１０】実施例２の光学系の無限遠合焦状態の諸収差図である。
【図１１】実施例３の光学系の無限遠合焦状態の諸収差図である。
【図１２】実施例４の光学系の無限遠合焦状態の諸収差図である。
【図１３】実施例５の光学系の無限遠合焦状態の諸収差図である。
【図１４】実施例６の光学系の無限遠合焦状態の諸収差図である。
【図１５】実施例７の光学系の無限遠合焦状態の諸収差図である。
【図１６】実施例８の光学系の無限遠合焦状態の諸収差図である。
【図１７】本発明のズームレンズを交換レンズとして用いた一眼レフレックスカメラの断面図である。
【発明を実施するための形態】
【００５８】
本発明の実施例１〜８のズームレンズについて説明する。図１〜図８は、実施例１〜８の光学系の（ａ）広角端（W-INF）、（ｂ）中間状態（S-INF）、（ｃ）望遠端（T-INF）のの断面図である。
【００５９】
図１は実施例１のズームレンズの断面図である。
【００６０】
実施例１のズームレンズは、図１に示すように、物体側から順に、正屈折力を有する第１レンズ群Ｇ１、負屈折力を有する第２レンズ群Ｇ２、正屈折力を有する第３レンズ群Ｇ３、正屈折力を有する第４レンズ群Ｇ４から構成されている。
【００６１】
広角端から望遠端への変倍をする際の移動状態を以下に示す。
【００６２】
第１レンズ群Ｇ１は、広角端から望遠端まで物体側へ移動する。
【００６３】
第２レンズ群Ｇ２は、広角端から中間状態まで、像側に凸の軌跡を描き、第１レンズ群Ｇ１との間隔を広げ、第３レンズ群Ｇ３との間隔を狭めながら移動し、中間状態では、広角端より若干物体側に位置する。また、第２レンズ群Ｇ２は、中間状態から望遠端まで、物体側に凸の軌跡を描き、第１レンズ群Ｇ１との間隔を広げ、第３レンズ群Ｇ３との間隔を狭めながら移動し、望遠端では、中間状態より物体側に位置する。
【００６４】
第３レンズ群Ｇ３は、広角端から望遠端まで、第２レンズ群Ｇ２との間隔を狭め、第４レンズ群Ｇ４との間隔を狭めながら、物体側へ移動する。
【００６５】
第４レンズ群Ｇ４は、広角端から望遠端まで、第３レンズ群Ｇ３との間隔を狭め、像面Ｉとの間隔を広げながら、物体側へ移動する。
【００６６】
次に、ＯＤ＝４００ｍｍの時の広角端から望遠端への変倍をする際の移動状態を以下に示す。
【００６７】
第１レンズ群Ｇ１は、広角端から望遠端まで物体側へ移動する。
【００６８】
第２レンズ群Ｇ２は、広角端から中間状態まで、像側に凸の軌跡を描き、第１レンズ群Ｇ１との間隔を広げ、第３レンズ群Ｇ３との間隔を狭めながら移動し、中間状態では、広角端より物体側に位置する。また、第２レンズ群Ｇ２は、中間状態から望遠端まで、第１レンズ群Ｇ１との間隔を広げ、第３レンズ群Ｇ３との間隔を狭めた後広げながら物体側へ移動する。
【００６９】
第３レンズ群Ｇ３は、広角端から中間状態まで、第２レンズ群Ｇ２との間隔を狭め、第４レンズ群Ｇ４との間隔を狭めながら、物体側へ移動する。また、第３レンズ群Ｇ３は、中間状態から望遠端まで、第２レンズ群Ｇ２との間隔を狭めた後広げ、第４レンズ群Ｇ４との間隔を狭めながら、物体側へ移動する。
【００７０】
第４レンズ群Ｇ４は、広角端から望遠端まで、第３レンズ群Ｇ３との間隔を狭め、像面Ｉとの間隔を広げながら、物体側へ移動する。
【００７１】
第１レンズ群Ｇ１は、物体側から順に、物体側に凸面を向けた負メニスカスレンズと、物体側に凸面を向けた正メニスカスレンズと、物体側に凸面を向けた正メニスカスレンズＬ１３と、からなる。
【００７２】
第２レンズ群Ｇ２は、物体側から順に、物体側に凸面を向けた負メニスカスレンズと物体側に凸面を向けた負メニスカスレンズの接合レンズと、両凹負レンズと、両凸正レンズと、両凹負レンズと両凸正レンズの接合レンズと、からなる。
【００７３】
第３レンズ群Ｇ３は、開口絞りＳと、両凸正レンズと、両凸正レンズと両凹負レンズの接合レンズと、からなる。
【００７４】
第４レンズ群Ｇ４は、両凸正レンズと、像側に凸面を向けた正メニスカスレンズと、物体側に凸面を向けた負メニスカスレンズと物体側に凸面を向けた正メニスカスレンズの接合レンズと、からなる。
【００７５】
Ｃはカバーガラス、Ｉは像面である。
【００７６】
非球面は、第２レンズ群Ｇ２の物体側の接合レンズの最も物体側の面、第４レンズ群Ｇ４の両凸正レンズの両面、接合レンズの最も像側の面、の４面に用いている。
【００７７】
図２は実施例２のズームレンズの断面図である。
【００７８】
実施例２のズームレンズは、図２に示すように、物体側から順に、正屈折力を有する第１レンズ群Ｇ１、負屈折力を有する第２レンズ群Ｇ２、正屈折力を有する第３レンズ群Ｇ３、正屈折力を有する第４レンズ群Ｇ４から構成されている。
【００７９】
広角端から望遠端への変倍をする際の移動状態を以下に示す。
【００８０】
第１レンズ群Ｇ１は、広角端から望遠端まで物体側へ移動する。
【００８１】
第２レンズ群Ｇ２は、広角端から中間状態まで、像側に凸の軌跡を描き、第１レンズ群Ｇ１との間隔を広げ、第３レンズ群Ｇ３との間隔を狭めながら移動し、中間状態では、広角端より若干像側に位置する。また、第２レンズ群Ｇ２は、中間状態から望遠端まで、第１レンズ群Ｇ１との間隔を広げ、第３レンズ群Ｇ３との間隔を狭めながら物体側に移動する。
【００８２】
第３レンズ群Ｇ３は、広角端から望遠端まで、第２レンズ群Ｇ２との間隔を狭め、第４レンズ群Ｇ４との間隔を狭めながら、物体側へ移動する。
【００８３】
第４レンズ群Ｇ４は、広角端から望遠端まで、第３レンズ群Ｇ３との間隔を狭め、像面Ｉとの間隔を広げながら、物体側へ移動する。
【００８４】
次に、ＯＤ＝４００ｍｍの時の広角端から望遠端への変倍をする際の移動状態を以下に示す。
【００８５】
第１レンズ群Ｇ１は、広角端から望遠端まで物体側へ移動する。
【００８６】
第２レンズ群Ｇ２は、広角端から中間状態まで、像側に凸の軌跡を描き、第１レンズ群Ｇ１との間隔を広げ、第３レンズ群Ｇ３との間隔を狭めながら移動し、中間状態では、広角端より若干物体側に位置する。また、第２レンズ群Ｇ２は、中間状態から望遠端まで、第１レンズ群Ｇ１との間隔を広げ、第３レンズ群Ｇ３との間隔を狭めた後広げながら物体側へ移動する。
【００８７】
第３レンズ群Ｇ３は、広角端から中間状態まで、第２レンズ群Ｇ２との間隔を狭め、第４レンズ群Ｇ４との間隔を狭めながら、物体側へ移動する。また、第３レンズ群Ｇ３は、中間状態から望遠端まで、第２レンズ群Ｇ２との間隔を狭めた後広げ、第４レンズ群Ｇ４との間隔を狭めながら、物体側へ移動する。
【００８８】
第４レンズ群Ｇ４は、広角端から望遠端まで、第３レンズ群Ｇ３との間隔を狭め、像面Ｉとの間隔を広げながら、物体側へ移動する。
【００８９】
第１レンズ群Ｇ１は、物体側から順に、物体側に凸面を向けた負メニスカスレンズと、物体側に凸面を向けた正メニスカスレンズと、物体側に凸面を向けた正メニスカスレンズと、からなる。
【００９０】
第２レンズ群Ｇ２は、物体側から順に、物体側に凸面を向けた負メニスカスレンズと物体側に凸面を向けた負メニスカスレンズの接合レンズと、両凹負レンズと物体側に凸面を向けたメニスカスレンズと両凸正レンズの接合レンズと、物体側に凸面を向けた負メニスカスレンズと、からなる。
【００９１】
第３レンズ群Ｇ３は、開口絞りＳと、両凸正レンズと、両凸正レンズと両凹負レンズの接合レンズと、からなる。
【００９２】
第４レンズ群Ｇ４は、両凸正レンズと、像側に凸面を向けた正メニスカスレンズと、物体側に凸面を向けた負メニスカスレンズと両凸正レンズの接合レンズと、からなる。
【００９３】
Ｃはカバーガラス、Ｉは像面である。
【００９４】
非球面は、第２レンズ群Ｇ２の物体側の接合レンズの最も物体側の面、第４レンズ群Ｇ４の両凸正レンズの両面、接合レンズの最も像側の面、の４面に用いている。
【００９５】
図３は実施例３のズームレンズの断面図である。
【００９６】
実施例３のズームレンズは、図３に示すように、物体側から順に、正屈折力を有する第１レンズ群Ｇ１、負屈折力を有する第２レンズ群Ｇ２、正屈折力を有する第３レンズ群Ｇ３、正屈折力を有する第４レンズ群Ｇ４から構成されている。
【００９７】
広角端から望遠端への変倍をする際の移動状態を以下に示す。
【００９８】
第１レンズ群Ｇ１は、広角端から望遠端まで物体側へ移動する。
【００９９】
第２レンズ群Ｇ２は、広角端から中間状態まで、像側に凸の軌跡を描き、第１レンズ群Ｇ１との間隔を広げ、第３レンズ群Ｇ３との間隔を狭めながら移動し、中間状態では、広角端より若干像側に位置する。また、第２レンズ群Ｇ２は、中間状態から望遠端まで、第１レンズ群Ｇ１との間隔を広げ、第３レンズ群Ｇ３との間隔を狭めながら物体側へ移動する。
【０１００】
第３レンズ群Ｇ３は、広角端から望遠端まで、第２レンズ群Ｇ２との間隔を狭め、第４レンズ群Ｇ４との間隔を狭めながら、物体側へ移動する。
【０１０１】
第４レンズ群Ｇ４は、広角端から望遠端まで、第３レンズ群Ｇ３との間隔を狭め、像面Ｉとの間隔を広げながら、物体側へ移動する。
【０１０２】
次に、ＯＤ＝４００ｍｍの時の広角端から望遠端への変倍をする際の移動状態を以下に示す。
【０１０３】
第１レンズ群Ｇ１は、広角端から望遠端まで物体側へ移動する。
【０１０４】
第２レンズ群Ｇ２は、広角端から中間状態まで、像側に凸の軌跡を描き、第１レンズ群Ｇ１との間隔を広げ、第３レンズ群Ｇ３との間隔を狭めながら移動し、中間状態では、広角端より若干物体側に位置する。また、第２レンズ群Ｇ２は、中間状態から望遠端まで、第１レンズ群Ｇ１との間隔を広げ、第３レンズ群Ｇ３との間隔を狭めた後広げながら物体側へ移動する。
【０１０５】
第３レンズ群Ｇ３は、広角端から中間状態まで、第２レンズ群Ｇ２との間隔を狭め、第４レンズ群Ｇ４との間隔を狭めながら、物体側へ移動する。また、第３レンズ群Ｇ３は、中間状態から望遠端まで、第２レンズ群Ｇ２との間隔を狭めた後広げ、第４レンズ群Ｇ４との間隔を狭めながら、物体側へ移動する。
【０１０６】
第４レンズ群Ｇ４は、広角端から望遠端まで、第３レンズ群Ｇ３との間隔を狭め、像面Ｉとの間隔を広げながら、物体側へ移動する。
【０１０７】
第１レンズ群Ｇ１は、物体側から順に、物体側に凸面を向けた負メニスカスレンズＬ１１と、両凸正レンズＬ１２と、物体側に凸面を向けた正メニスカスレンズＬ１３と、からなる。
【０１０８】
第２レンズ群Ｇ２は、物体側から順に、物体側に凸面を向けた負メニスカスレンズＬ２１と物体側に凸面を向けた負メニスカスレンズＬ２２の接合レンズと、両凹負レンズＬ２３と物体側に凸面を向けたメニスカスレンズＬ２４と両凸正レンズＬ２５の接合レンズと、物体側に凸面を向けた負メニスカスレンズＬ２６と、からなる。
【０１０９】
第３レンズ群Ｇ３は、開口絞りＳと、両凸正レンズＬ３１と、両凸正レンズＬ３２と両凹負レンズＬ３３の接合レンズと、からなる。
【０１１０】
第４レンズ群Ｇ４は、両凸正レンズＬ４１と、像側に凸面を向けた正メニスカスレンズＬ４２と、物体側に凸面を向けた負メニスカスレンズＬ４３と両凸正レンズＬ４４の接合レンズと、からなる。
【０１１１】
Ｃはカバーガラス、Ｉは像面である。
【０１１２】
非球面は、第２レンズ群Ｇ２の物体側の接合レンズの最も物体側の面、第４レンズ群Ｇ４の両凸正レンズＬ４１の両面、接合レンズの最も像側の面、の４面に用いている。
【０１１３】
図４は実施例４のズームレンズの断面図である。
【０１１４】
実施例４のズームレンズは、図４に示すように、物体側から順に、正屈折力を有する第１レンズ群Ｇ１、負屈折力を有する第２レンズ群Ｇ２、正屈折力を有する第３レンズ群Ｇ３、正屈折力を有する第４レンズ群Ｇ４から構成されている。
【０１１５】
広角端から望遠端への変倍をする際の移動状態を以下に示す。
【０１１６】
第１レンズ群Ｇ１は、広角端から望遠端まで物体側へ移動する。
【０１１７】
第２レンズ群Ｇ２は、広角端から望遠端まで、第１レンズ群Ｇ１との間隔を広げ、第３レンズ群Ｇ３との間隔を狭めながら、物体側へ移動する。
【０１１８】
第３レンズ群Ｇ３は、広角端から望遠端まで、第２レンズ群Ｇ２との間隔を狭め、第４レンズ群Ｇ４との間隔を狭めながら、物体側へ移動する。
【０１１９】
第４レンズ群Ｇ４は、広角端から望遠端まで、第３レンズ群Ｇ３との間隔を狭め、像面Ｉとの間隔を広げながら、物体側へ移動する。
【０１２０】
次に、ＯＤ＝３５０ｍｍの時の広角端から望遠端への変倍をする際の移動状態を以下に示す。
【０１２１】
第１レンズ群Ｇ１は、広角端から望遠端まで物体側へ移動する。
【０１２２】
第２レンズ群Ｇ２は、広角端から望遠端まで、第１レンズ群Ｇ１との間隔を広げ、第３レンズ群Ｇ３との間隔を狭めながら、物体側へ移動する。
【０１２３】
第３レンズ群Ｇ３は、広角端から望遠端まで、第２レンズ群Ｇ２との間隔を狭め、第４レンズ群Ｇ４との間隔を狭めながら、物体側へ移動する。
【０１２４】
第４レンズ群Ｇ４は、広角端から望遠端まで、第３レンズ群Ｇ３との間隔を狭め、像面Ｉとの間隔を広げながら、物体側へ移動する。
【０１２５】
第１レンズ群Ｇ１は、物体側から順に、物体側に凸面を向けた負メニスカスレンズと、物体側に凸面を向けた正メニスカスレンズと、物体側に凸面を向けた正メニスカスレンズと、からなる。
【０１２６】
第２レンズ群Ｇ２は、物体側から順に、物体側に凸面を向けた負メニスカスレンズと物体側に凸面を向けた負メニスカスレンズの接合レンズと、両凹負レンズと、両凸正レンズと、両凹負レンズと両凸正レンズの接合レンズと、からなる。
【０１２７】
第３レンズ群Ｇ３は、開口絞りＳと、両凸正レンズと、両凸正レンズと両凹負レンズの接合レンズと、からなる。
【０１２８】
第４レンズ群Ｇ４は、物体側に凸面を向けた正メニスカスレンズと、両凸正レンズと、両凹負レンズと両凸正レンズの接合レンズと、からなる。
【０１２９】
Ｃはカバーガラス、Ｉは像面である。
【０１３０】
非球面は、第２レンズ群Ｇ２の物体側の接合レンズの最も物体側の面、第４レンズ群Ｇ４の正メニスカスレンズの両面、接合レンズの最も像側の面、の４面に用いている。
【０１３１】
図５は実施例５のズームレンズの断面図である。
【０１３２】
実施例５のズームレンズは、図５に示すように、物体側から順に、正屈折力を有する第１レンズ群Ｇ１、負屈折力を有する第２レンズ群Ｇ２、正屈折力を有する第３レンズ群Ｇ３、正屈折力を有する第４レンズ群Ｇ４から構成されている。
【０１３３】
広角端から望遠端への変倍をする際の移動状態を以下に示す。
【０１３４】
第１レンズ群Ｇ１は、広角端から望遠端まで物体側へ移動する。
【０１３５】
第２レンズ群Ｇ２は、広角端から中間状態まで、像側に凸の軌跡を描き、第１レンズ群Ｇ１との間隔を広げ、第３レンズ群Ｇ３との間隔を狭めながら移動し、中間状態では、広角端より物体側に位置する。また、第２レンズ群Ｇ２は、中間状態から望遠端まで、第１レンズ群Ｇ１との間隔を広げ、第３レンズ群Ｇ３との間隔を狭めながら物体側へ移動する。
【０１３６】
第３レンズ群Ｇ３は、広角端から望遠端まで、第２レンズ群Ｇ２との間隔を狭め、第４レンズ群Ｇ４との間隔を狭めながら、物体側へ移動する。
【０１３７】
第４レンズ群Ｇ４は、広角端から望遠端まで、第３レンズ群Ｇ３との間隔を狭め、像面Ｉとの間隔を広げながら、物体側へ移動する。
【０１３８】
次に、ＯＤ＝２５０ｍｍの時の広角端から望遠端への変倍をする際の移動状態を以下に示す。
【０１３９】
第１レンズ群Ｇ１は、広角端から望遠端まで物体側へ移動する。
【０１４０】
第２レンズ群Ｇ２は、広角端から中間状態まで、像側に凸の軌跡を描き、第１レンズ群Ｇ１との間隔を広げ、第３レンズ群Ｇ３との間隔を狭めながら移動し、中間状態では、広角端より物体側に位置する。また、第２レンズ群Ｇ２は、中間状態から望遠端まで、第１レンズ群Ｇ１との間隔を広げ、第３レンズ群Ｇ３との間隔を狭めながら物体側へ移動する。
【０１４１】
第３レンズ群Ｇ３は、広角端から望遠端まで、第２レンズ群Ｇ２との間隔を狭め、第４レンズ群Ｇ４との間隔を狭めながら、物体側へ移動する。
【０１４２】
第４レンズ群Ｇ４は、広角端から望遠端まで、第３レンズ群Ｇ３との間隔を狭め、像面Ｉとの間隔を広げながら、物体側へ移動する。
【０１４３】
第１レンズ群Ｇ１は、物体側から順に、物体側に凸面を向けた負メニスカスレンズと、物体側に凸面を向けた正メニスカスレンズと、物体側に凸面を向けた正メニスカスレンズと、からなる。
【０１４４】
第２レンズ群Ｇ２は、物体側から順に、物体側に凸面を向けた負メニスカスレンズと物体側に凸面を向けた負メニスカスレンズの接合レンズと、両凹負レンズと、両凸正レンズと、両凹負レンズと両凸正レンズの接合レンズと、からなる。
【０１４５】
第３レンズ群Ｇ３は、開口絞りＳと、両凸正レンズと、両凸正レンズと両凹負レンズの接合レンズと、からなる。
【０１４６】
第４レンズ群Ｇ４は、物体側に凸面を向けた正メニスカスレンズと、両凸正レンズと、両凹負レンズと両凸正レンズの接合レンズと、からなる。
【０１４７】
Ｃはカバーガラス、Ｉは像面である。
【０１４８】
非球面は、第２レンズ群Ｇ２の物体側の接合レンズの最も物体側の面、第４レンズ群Ｇ４の正メニスカスレンズの両面、接合レンズの最も像側の面、の４面に用いている。
【０１４９】
図６は実施例６のズームレンズの断面図である。
【０１５０】
実施例６のズームレンズは、図６に示すように、物体側から順に、正屈折力を有する第１レンズ群Ｇ１、負屈折力を有する第２レンズ群Ｇ２、正屈折力を有する第３レンズ群Ｇ３、正屈折力を有する第４レンズ群Ｇ４から構成されている。
【０１５１】
広角端から望遠端への変倍をする際の移動状態を以下に示す。
【０１５２】
第１レンズ群Ｇ１は、広角端から望遠端まで物体側へ移動する。
【０１５３】
第２レンズ群Ｇ２は、広角端から望遠端まで、第１レンズ群Ｇ１との間隔を広げ、第３レンズ群Ｇ３との間隔を狭めながら、物体側へ移動する。
【０１５４】
第３レンズ群Ｇ３は、広角端から望遠端まで、第２レンズ群Ｇ２との間隔を狭め、第４レンズ群Ｇ４との間隔を狭めながら、物体側へ移動する。
【０１５５】
第４レンズ群Ｇ４は、広角端から望遠端まで、第３レンズ群Ｇ３との間隔を狭め、像面Ｉとの間隔を広げながら、物体側へ移動する。
【０１５６】
次に、ＯＤ＝２５０ｍｍの時の広角端から望遠端への変倍をする際の移動状態を以下に示す。
【０１５７】
第１レンズ群Ｇ１は、広角端から望遠端まで物体側へ移動する。
【０１５８】
第２レンズ群Ｇ２は、広角端から望遠端まで、第１レンズ群Ｇ１との間隔を広げ、第３レンズ群Ｇ３との間隔を狭めながら、物体側へ移動する。
【０１５９】
第３レンズ群Ｇ３は、広角端から望遠端まで、第２レンズ群Ｇ２との間隔を狭め、第４レンズ群Ｇ４との間隔を狭めながら、物体側へ移動する。
【０１６０】
第４レンズ群Ｇ４は、広角端から望遠端まで、第３レンズ群Ｇ３との間隔を狭め、像面Ｉとの間隔を広げながら、物体側へ移動する。
【０１６１】
第１レンズ群Ｇ１は、物体側から順に、物体側に凸面を向けた負メニスカスレンズと両凸正レンズの接合レンズと、物体側に凸面を向けた正メニスカスレンズと、からなる。
【０１６２】
第２レンズ群Ｇ２は、物体側から順に、物体側に凸面を向けた負メニスカスレンズと物体側に凸面を向けた負メニスカスレンズの接合レンズと、両凹負レンズと、両凸正レンズと、像側に凸面を向けた負メニスカスレンズと、からなる。
【０１６３】
第３レンズ群Ｇ３は、開口絞りＳと、両凸正レンズと、両凸正レンズと両凹負レンズの接合レンズと、からなる。
【０１６４】
第４レンズ群Ｇ４は、両凸正レンズと、物体側に凸面を向けた負メニスカスレンズと両凸正レンズの接合レンズと、からなる。
【０１６５】
Ｃはカバーガラス、Ｉは像面である。
【０１６６】
非球面は、第２レンズ群Ｇ２の物体側の接合レンズの最も物体側の面、第４レンズ群Ｇ４の両凸正レンズの両面、接合レンズの最も像側の面、の４面に用いている。
【０１６７】
図７は実施例７のズームレンズの断面図である。
【０１６８】
実施例７のズームレンズは、図７に示すように、物体側から順に、正屈折力を有する第１レンズ群Ｇ１、負屈折力を有する第２レンズ群Ｇ２、正屈折力を有する第３レンズ群Ｇ３、正屈折力を有する第４レンズ群Ｇ４から構成されている。
【０１６９】
広角端から望遠端への変倍をする際の移動状態を以下に示す。
【０１７０】
第１レンズ群Ｇ１は、広角端から望遠端まで物体側へ移動する。
【０１７１】
第２レンズ群Ｇ２は、広角端から中間状態まで、像側に凸の軌跡を描き、第１レンズ群Ｇ１との間隔を広げ、第３レンズ群Ｇ３との間隔を狭めながら移動し、中間状態では、広角端より物体側に位置する。また、第２レンズ群Ｇ２は、中間状態から望遠端まで、第１レンズ群Ｇ１との間隔を広げ、第３レンズ群Ｇ３との間隔を狭めながら物体側へ移動する。
【０１７２】
第３レンズ群Ｇ３は、広角端から望遠端まで、第２レンズ群Ｇ２との間隔を狭め、第４レンズ群Ｇ４との間隔を狭めながら、物体側へ移動する。
【０１７３】
第４レンズ群Ｇ４は、広角端から望遠端まで、第３レンズ群Ｇ３との間隔を狭め、像面Ｉとの間隔を広げながら、物体側へ移動する。
【０１７４】
次に、ＯＤ＝２５０ｍｍの時の広角端から望遠端への変倍をする際の移動状態を以下に示す。
【０１７５】
第１レンズ群Ｇ１は、広角端から望遠端まで物体側へ移動する。
【０１７６】
第２レンズ群Ｇ２は、広角端から中間状態まで、像側に凸の軌跡を描き、第１レンズ群Ｇ１との間隔を広げ、第３レンズ群Ｇ３との間隔を狭めながら移動し、中間状態では、広角端より物体側に位置する。また、第２レンズ群Ｇ２は、中間状態から望遠端まで、第１レンズ群Ｇ１との間隔を広げ、第３レンズ群Ｇ３との間隔を狭めながら物体側へ移動する。
【０１７７】
第３レンズ群Ｇ３は、広角端から望遠端まで、第２レンズ群Ｇ２との間隔を狭め、第４レンズ群Ｇ４との間隔を狭めながら、物体側へ移動する。
【０１７８】
第４レンズ群Ｇ４は、広角端から望遠端まで、第３レンズ群Ｇ３との間隔を狭め、像面Ｉとの間隔を広げながら、物体側へ移動する。
【０１７９】
第１レンズ群Ｇ１は、物体側から順に、物体側に凸面を向けた負メニスカスレンズと両凸正レンズの接合レンズと、物体側に凸面を向けた正メニスカスレンズと、からなる。
【０１８０】
第２レンズ群Ｇ２は、物体側から順に、物体側に凸面を向けた負メニスカスレンズと物体側に凸面を向けた負メニスカスレンズの接合レンズと、両凹負レンズと、両凸正レンズと、像側に凸面を向けた負メニスカスレンズと、からなる。
【０１８１】
第３レンズ群Ｇ３は、開口絞りＳと、両凸正レンズと、両凸正レンズと両凹負レンズの接合レンズと、からなる。
【０１８２】
第４レンズ群Ｇ４は、物体側に凸面を向けた正メニスカスレンズと、両凸正レンズと、物体側に凸面を向けた負メニスカスレンズと両凸正レンズの接合レンズと、からなる。
【０１８３】
Ｃはカバーガラス、Ｉは像面である。
【０１８４】
非球面は、第２レンズ群Ｇ２の物体側の接合レンズの最も物体側の面、第４レンズ群Ｇ４の正メニスカスレンズの両面、接合レンズの最も像側の面、の４面に用いている。
【０１８５】
図８は実施例８のズームレンズの断面図である。
【０１８６】
実施例８のズームレンズは、図８に示すように、物体側から順に、正屈折力を有する第１レンズ群Ｇ１、負屈折力を有する第２レンズ群Ｇ２、正屈折力を有する第３レンズ群Ｇ３、正屈折力を有する第４レンズ群Ｇ４から構成されている。
【０１８７】
広角端から望遠端への変倍をする際の移動状態を以下に示す。
【０１８８】
第１レンズ群Ｇ１は、広角端から望遠端まで物体側へ移動する。
【０１８９】
第２レンズ群Ｇ２は、広角端から望遠端まで、第１レンズ群Ｇ１との間隔を広げ、第３レンズ群Ｇ３との間隔を狭めながら、物体側へ移動する。
【０１９０】
第３レンズ群Ｇ３は、広角端から望遠端まで、第２レンズ群Ｇ２との間隔を狭め、第４レンズ群Ｇ４との間隔を狭めながら、物体側へ移動する。
【０１９１】
第４レンズ群Ｇ４は、広角端から望遠端まで、第３レンズ群Ｇ３との間隔を狭め、像面Ｉとの間隔を広げながら、物体側へ移動する。
【０１９２】
次に、ＯＤ＝２５０ｍｍの時の広角端から望遠端への変倍をする際の移動状態を以下に示す。
【０１９３】
第１レンズ群Ｇ１は、広角端から望遠端まで物体側へ移動する。
【０１９４】
第２レンズ群Ｇ２は、広角端から望遠端まで、第１レンズ群Ｇ１との間隔を広げ、第３レンズ群Ｇ３との間隔を狭めながら、物体側へ移動する。
【０１９５】
第３レンズ群Ｇ３は、広角端から望遠端まで、第２レンズ群Ｇ２との間隔を狭め、第４レンズ群Ｇ４との間隔を狭めながら、物体側へ移動する。
【０１９６】
第４レンズ群Ｇ４は、広角端から望遠端まで、第３レンズ群Ｇ３との間隔を狭め、像面Ｉとの間隔を広げながら、物体側へ移動する。
【０１９７】
第１レンズ群Ｇ１は、物体側から順に、物体側に凸面を向けた負メニスカスレンズと、両凸正レンズと、物体側に凸面を向けた正メニスカスレンズと、からなる。
【０１９８】
第２レンズ群Ｇ２は、物体側から順に、物体側に凸面を向けた正メニスカスレンズと物体側に凸面を向けた負メニスカスレンズの接合レンズと、両凹負レンズと、両凸正レンズと、両凹負レンズと両凸正レンズの接合レンズと、からなる。
【０１９９】
第３レンズ群Ｇ３は、開口絞りＳと、両凸正レンズと、両凸正レンズと両凹負レンズの接合レンズと、からなる。
【０２００】
第４レンズ群Ｇ４は、物体側に凸面を向けた正メニスカスレンズと、両凸正レンズと、両凹負レンズと両凸正レンズの接合レンズと、からなる。
【０２０１】
Ｃはカバーガラス、Ｉは像面である。
【０２０２】
非球面は、第２レンズ群Ｇ２の物体側の接合レンズの最も物体側の面、第４レンズ群Ｇ４の両凸正レンズＬ４１の両面、接合レンズの最も像側の面、の４面に用いている。
【０２０３】
以下に、実施例１〜８の数値データを示す。実施例１〜８の数値データにおいて、ｒはレンズ面の曲率半径、ｄはレンズ肉厚および空気間隔、Ｎｄおよびνｄはｄ線（λ＝５８７．６ｎｍ）における屈折率およびアッべ数である。また、ズームデータのＷは広角端、ＷＳは広角−標準中間、Ｓは標準、ＴＳは望遠−標準中間、Ｔは望遠端を示す。
【０２０４】
実施例の説明の諸元表中、（非球面）を付した面は非球面形状の面である。非球面形状を表す式は、光軸方向の座標をＺ、光軸と垂直な方向の座標をＹ、近軸曲率半径をｒ、円錐係数をＫ、２次，４次，６次，８次，１０次の非球面係数をそれぞれA2，A4，A6，A8，A10としたとき次の（ａ）式で表される。
Ｚ＝（Ｙ2／ｒ）／｛１＋［１−（１＋Ｋ）・（Ｙ／ｒ）2］1/2｝
＋A4Ｙ4＋A6Ｙ6＋A8Ｙ8＋A10Ｙ10          ・・・  （ａ）
【０２０５】
また、ゴースト、フレア等の不要光をカットするために、明るさ絞り以外にフレア絞りを配置してもかまわない。第１レンズ群の物体側、第１、２レンズ群間、第２、３レンズ群間、第３、４レンズ群間、最も像面側の群から像面間のいずれの場所に配置しても良い。枠部材によりフレア光線をカットするように構成しても良いし、別の部材を構成しても良い。また、光学系に直接印刷しても、塗装しても、シールなどを接着してもかまわない。また、その形状は円形、楕円形、矩形、多角形、関数曲線で囲まれる範囲等、いかなる形状でもかまわない。また有害光束をカットするだけでなく画面周辺のコマフレア等の光束をカットしても良い。
【０２０６】
また、各レンズには反射防止コートを行い、ゴースト、フレアを軽減してもかまわない。マルチコートであれば効果的にゴースト、フレアを軽減できるので望ましい。また赤外カットコートをレンズ面、カバーガラス等に行ってもかまわない。
【０２０７】
また、ピント調節を行うためのフォーカシングは最も像面側の群が望ましい。最も像面側の群でフォーカシングを行うとレンズ重量が軽量なためモータにかかる負荷が少ない。さらに、フォーカシング時に全長が変化しないし、鏡枠内部に駆動モータを配置できるため、鏡枠のコンパクト化に有利である。上述のように、最も像面側の群のフォーカシングが望ましいが、第１、２、３、４レンズ群でフォーカシングを行っても良い。また、複数のレンズ群を移動してフォーカシングを行っても良い。複数のレンズ群を動かすことで、フォーカシングによる性能劣化をより効率的に小さくできる。また、レンズ系全体を繰り出してフォーカスを行っても良いし、一部のレンズを繰り出し、もしくは繰り込みしてフォーカスしても良い。
【０２０８】
また、画像周辺部の明るさのかげり（シェーディング）を、ＣＣＤのマイクロレンズをシフトすることにより軽減しても良い。例えば、各像高における光線の入射角に合わせてＣＣＤのマイクロレンズの設計を変えても良い。また、画像処理により画像周辺部の低下量を補正しても良い。
【０２０９】
ゴースト・フレアの発生を防止するためにレンズの空気接触面に反射防止コートを施すことは一般的に行われている。一方、接合レンズの接合面では接着材の屈折率が空気の屈折率よりも十分高い。そのため、もともと単層コート並み、あるいはそれ以下の反射率となっていることが多く、あえてコートを施すことは少ない。しかしながら、接合面にも積極的に反射防止コートを施せばさらにゴースト・フレアを軽減でき、なお良好な画像を得ることができるようになる。特に、最近では高屈折率硝材が普及し収差補正効果が高いためカメラ光学系に多用されるようになってきているが、高屈折率硝材を接合レンズとして用いた場合、接合面での反射も無視できなくなってくる。そのような場合、接合面に反射防止コートを施しておくことは特に効果的である。
【０２１０】
接合面コートの効果的な使用法に関しては、特開平2-27301号、特開2001-324676号、特開2005-92115号、USP7116482等に開示されている。これらの文献では特に正先行ズームレンズの第１レンズ群内の接合レンズ面コートについて述べられており、本発明の第１レンズ群内の接合レンズ面についてもこれら文献に開示されているごとく実施すればよい。
【０２１１】
使用するコート材としては、基盤となるレンズの屈折率と接着材の屈折率に応じて、比較的高屈折率なＴａ2Ｏ5、ＴｉＯ2、Ｎｂ2Ｏ5、ＺｒＯ2、ＨｆＯ2、ＣｅＯ2、ＳｎＯ2、Ｉｎ2Ｏ3、ＺｎＯ、Ｙ2Ｏ3などのコート材、比較的低屈折率なＭｇＦ2、ＳｉＯ2、Ａｌ2Ｏ3などのコート材、などを適宜選択し、位相条件を満たすような膜厚に設定すれば良い。当然のことながら、レンズの空気接触面へのコーティング同様、接合面コートをマルチコートとしても良い。２層あるいはそれ以上の膜数のコート材や膜厚を適宜組み合わせることで、更なる反射率の低減や、反射率の分光特性・角度特性等のコントロールなどを行うことが可能となる。また第１レンズ群以外のレンズ接合面についても、同様の思想に基づいて接合面コートを行うことが効果的なのは言うまでもない。
【０２１２】
数値実施例１
単位     ｍｍ
面データ
面番号                  ｒ         ｄ        ｎｄ      νｄ
1                    90.618      2.65     1.85026    32.27
2                    56.548      0.45
3                    58.731      6.50     1.49700    81.54
4                  1683.670      0.20
5                    52.533      5.20     1.49700    81.54
6                   273.171      可変
7（非球面）          90.806      0.08     1.51940    51.94
8                    63.573      1.40     1.88300    40.76
9                    13.049      6.48
10                   -27.461      1.05     1.60311    60.64
11                    40.669      0.20
12                    40.595      4.20     1.68893    31.07
13                   -28.664      可変
14                   -19.208      1.00     1.69680    55.53
15                    19.938      3.10     1.80100    34.97
16                  -132.991      可変
17（絞り）              ∞        1.50
18                    28.900      3.00     1.49700    81.54
19                   -83.043      0.20
20                    22.359      5.45     1.58267    46.42
21                   -22.265      1.00     1.80610    40.92
22                    27.235      可変
23（非球面）          20.229      4.79     1.49700    81.54
24（非球面）         -31.055      0.20
25                   -52.455      1.93     1.49700    81.54
26                   -33.376      0.20
27                   119.322      1.00     1.78590    44.20
28                    12.871      4.60     1.51633    64.14
29                   339.930      可変
30                      ∞        4.57     1.51633    64.14
31                      ∞       31.02
像面                    ∞
非球面データ
第７面
K=-130.000,A4=4.52900E-05,A6=-2.36519E-07,A8=9.84174E-10,A10=-1.91016E-12
第２３面
K=-0.858,A4=-2.86800E-05,A6=-2.37382E-07,A8=-7.90089E-11,A10=3.47390E-12
第２４面
K=0.000,A4=-8.53186E-06,A6=-3.03923E-07,A8=1.88936E-09,A10=-5.94955E-12
第２９面
K=0.000,A4=1.96597E-05,A6=1.79997E-07,A8=-3.93620E-09,A10=7.29692E-12
ズームデータ
W         WS        S         TS        T
焦点距離      14.28     25.23     45.73     82.81    147.00
Ｆナンバー     3.63      3.75      4.40      5.78      5.70
画角(°)      78.89     46.66     26.74     15.12      8.58
像高          11.15     11.15     11.15     11.15     11.15
レンズ全長   123.69    136.82    157.59    181.25    195.00
ＢＦ          34.42     45.35     57.95     77.05     77.88
d6             1.00     14.23     29.39     39.65     55.71 
d13            2.70      2.70      2.70      2.70      2.70 
d16           21.43      9.56      5.45      4.00      1.75 
d22            7.76      5.22      3.32      1.62      1.20 
d29            0.41     11.31     23.85     43.03     43.84 
（ＯＤ＝４００ｍｍ）
d6             1.25     14.10     28.61     38.08     51.39 
d13            1.47      1.47      1.47      1.47      1.47 
d16           22.40     10.91      7.47      6.80      7.29 
d22            7.76      5.22      3.32      1.62      1.20 
d29            0.41     11.31     23.85     43.03     43.84 
ズームレンズ群データ
群          始面          焦点距離
1            1              0.00
2            7              0.00 
3           18              0.00
4           23              0.00
【０２１３】
数値実施例２
単位     ｍｍ
面データ
面番号                  ｒ         ｄ        ｎｄ      νｄ
1                    66.328      2.65     1.85026    32.27
2                    45.436      0.25
3                    45.250      7.00     1.49700    81.54
4                   299.800      0.20
5                    63.176      4.70     1.49700    81.54
6                   335.857       可変
7（非球面）         481.667      0.08     1.51940    51.94
8                    86.862      1.40     1.88300    40.76
9                    13.436      5.90
10                   -28.537      1.05     1.69680    55.53
11                    13.637      0.01     1.56384    60.70
12                    13.637      6.00     1.79504    28.57
13                   -40.799      1.89
14                   -15.262      1.00     1.65844    50.88
15                   -27.963      可変
16（絞り）              ∞        1.51
17                    30.272      3.00     1.49700    81.54
18                   -62.692      0.20
19                    34.297      4.64     1.58313    59.38
20                   -19.038      1.00     1.80400    46.57
21                    44.212      可変
22（非球面）          20.025      3.89     1.49700    81.54
23（非球面）         -60.938      1.50
24                   -65.716      2.84     1.51633    64.14
25                   -31.116      0.27
26                    90.045      1.00     1.78800    47.37
27                    12.216      5.50     1.51633    64.14
28                  -234.323      可変
29                      ∞        4.57     1.51633    64.14
30                      ∞       31.02
像面                    ∞
非球面データ
第７面
K=-8.762,A4=3.71514E-05,A6=-1.08617E-07,A8=4.69314E-10,A10=-5.72623E-13
第２２面
K=-0.419,A4=-2.44119E-05,A6=-1.87312E-07,A8=1.09982E-09,A10=-3.00750E-12
第２３面
K=0.860,A4=-1.09348E-05,A6=-1.78033E-07,A8=1.65893E-09,A10=-4.96813E-12
第２８面
K=214.764,A4=2.20719E-05,A6=4.36036E-09,A8=-5.94779E-10,A10=-7.55665E-12
各種データ
W         WS        S         TS        T
焦点距離      14.28     25.23     45.93     82.81    147.00
Ｆナンバー     3.64      3.88      4.32      5.65      5.77
画角(°)      78.90     46.91     26.71     15.14      8.57
像高          11.15     11.15     11.15     11.15     11.15
レンズ全長   125.59    136.91    157.01    180.15    195.22
ＢＦ          34.37     45.03     57.66     76.60     78.75
d6             1.50     15.00     30.37     40.68     56.89 
d15           20.87     10.27      4.22      2.87      1.75
d21           11.38      6.79      3.86      1.57      1.00 
d28            0.34     10.99     23.61     42.57     44.72 
（ＯＤ＝４００ｍｍ）
d6             0.70     13.87     28.59     38.11     51.70 
d15           21.66     11.40      5.99      5.45      6.93 
d21           11.38      6.79      3.86      1.57      1.00 
d28            0.34     10.99     23.61     42.57     44.72 
ズームレンズ群データ
群          始面          焦点距離
1            1              0.00
2            7              0.00 
3           17              0.00
4           22              0.00
【０２１４】
数値実施例３
単位     ｍｍ
面データ
面番号                  ｒ         ｄ        ｎｄ      νｄ
1                   102.239      2.65     1.85026    32.27
2                    60.469      0.44
3                    62.839      6.30     1.49700    81.54
4                 -5475.194      0.20
5                    53.620      5.40     1.49700    81.54
6                   291.069      可変
7（非球面）        2010.515      0.08     1.51940    51.94
8                   100.887      1.40     1.88300    40.76
9                    13.434      5.90
10                   -28.783      1.05     1.69680    55.53
11                    13.498      0.01     1.56384    60.70
12                    13.498      6.00     1.79504    28.57
13                   -39.705      1.87
14                   -15.375      1.00     1.67790    50.72
15                   -27.190      可変
16（絞り）              ∞        1.94
17                    28.982      3.10     1.49700    81.54
18                   -66.731      0.20
19                    35.615      4.67     1.58313    59.38
20                   -18.545      1.00     1.80400    46.57
21                    43.986      可変
22（非球面）          19.530      4.10     1.49700    81.54
23（非球面）         -48.815      2.10
24                   -50.523      1.69     1.51633    64.14
25                   -30.895      0.22
26                    88.144      1.00     1.78800    47.37
27                    12.117      5.50     1.51633    64.14
28（非球面）        -260.135      可変
29                      ∞        4.57     1.51633    64.14
30                      ∞       31.02
像面                    ∞
非球面データ
第７面
K=-99.589,A4=3.84229E-05,A6=-1.00234E-07,A8=3.42734E-10,A10=-3.08633E-13
第２２面
K=-0.410,A4=-2.51348E-05,A6=-1.87930E-07,A8=1.09632E-09,A10=-2.41077E-12
第２３面
K=0.921,A4=-1.09550E-05,A6=-1.77210E-07,A8=1.69378E-09,A10=-4.47773E-12
第２８面
K=13.187,A4=2.29188E-05,A6=7.74416E-09,A8=-7.09982E-10,A10=-7.88007E-12
各種データ
W         WS        S         TS        T
焦点距離      14.28     25.23     45.89     82.81    147.00
Ｆナンバー     3.64      3.94      4.36      5.54      5.77
画角(°)      78.73     46.82     26.70     15.13      8.57
像高          11.15     11.15     11.15     11.15     11.15
レンズ全長   125.72    137.51    158.11    181.25    196.35
ＢＦ          34.68     45.39     57.81     75.74     78.15
d6             1.98     15.69     31.57     42.70     58.71 
d15           19.82     10.05      4.00      2.34      1.75 
d21           11.42      6.73      3.74      1.53      1.00 
d28            0.68     11.36     23.77     41.71     44.12 
（ＯＤ＝４００ｍｍ）
d6             1.30     14.58     29.80     40.06     53.44 
d15           20.53     11.15      5.77      4.98      7.02 
d21           11.42      6.73      3.74      1.53      1.00 
d28            0.68     11.36     23.77     41.71     44.12 
ズームレンズ群データ
群          始面          焦点距離
1            1              0.00
2            7              0.00 
3           17              0.00
4           22              0.00
【０２１５】
数値実施例４
単位     ｍｍ
面データ
面番号                  ｒ         ｄ        ｎｄ      νｄ
1                    88.806      2.10     1.85026    32.27
2                    55.537      0.22
3                    55.183      6.59     1.49700    81.54
4                  2593.257      0.20
5                    58.191      4.60     1.49700    81.54
6                   265.264      可変
7（非球面）          87.495      0.08     1.51940    51.94
8                    55.711      1.40     1.88300    40.76
9                    13.219      6.88
10                   -26.006      1.00     1.60311    60.64
11                    47.990      0.20
12                    39.321      3.94     1.68893    31.07
13                   -25.470      可変
14                   -17.538      1.00     1.69680    55.53
15                    20.538      3.30     1.80100    34.97
16                  -177.108      可変
17（絞り）              ∞        2.51
18                    29.528      3.30     1.49700    81.54
19                   -53.401      0.20
20                    26.783      4.90     1.58267    46.42
21                   -21.738      1.00     1.80610    40.92
22                    30.903      可変
23（非球面）          16.415      4.10     1.49700    81.54
24（非球面）         946.366      0.20
25                    63.794      2.20     1.51633    64.14
26                  -106.816      0.37
27                  -215.224      1.00     1.79952    42.22
28                    17.756      4.45     1.51633    64.14
29                   -82.977      可変
30                      ∞        4.57     1.51633    64.14
31                      ∞       31.02
像面                    ∞
非球面データ
第７面
K=-57.339,A4=3.31527E-05,A6=-9.83234E-08,A8=2.94267E-10,A10=-4.33040E-13
第２３面
K=-0.070,A4=-1.59829E-05,A6=-1.03495E-07,A8=-9.05368E-10,A10=8.87364E-12
第２４面
K=-18595.299,A4=-3.05742E-05,A6=-4.23559E-07,A8=2.62174E-09,A10=5.67797E-13
第２９面
K=-101.899,A4=5.71762E-05,A6=7.60246E-07,A8=-3.41864E-09,A10=9.32200E-12
各種データ
W         WS        S         TS        T
焦点距離      14.28     25.23     45.93     83.01    147.00
Ｆナンバー     3.64      4.27      5.29      5.53      5.77
画角(°)      78.57     46.68     26.73     14.99      8.54
像高          11.15     11.15     11.15     11.15     11.15
レンズ全長   123.68    135.01    154.77    179.04    195.65
ＢＦ          34.68     46.23     63.37     70.41     77.95
d6             1.00     13.52     24.91     45.69     58.58 
d13            2.03      2.03      2.03      2.03      2.03 
d16           19.91     12.51      7.22      4.81      1.76 
d22           10.31      6.18      2.84      1.84      1.20 
d29            0.65     12.20     29.34     36.37     43.92 
（ＯＤ＝３５０ｍｍ）
d6             0.56     12.76     23.68     42.90     53.42 
d13            1.50      1.50      1.50      1.50      1.50 
d16           20.88     13.81      8.99      8.13      7.45 
d22           10.31      6.18      2.84      1.84      1.20 
d29            0.65     12.20     29.34     36.37     43.92 
ズームレンズ群データ
群          始面          焦点距離
1            1              0.00
2            7              0.00 
3           18              0.00
4           23              0.00
【０２１６】
数値実施例５
単位     ｍｍ
面データ
面番号                  ｒ         ｄ        ｎｄ      νｄ
1                    67.827      1.55     1.85026    32.35
2                    50.005      0.15
3                    49.486      7.90     1.43875    94.93
4                  2503.136      0.15
5                    63.417      4.20     1.49700    81.54
6                   202.259      可変
7（非球面）          88.406      0.08     1.51940    51.94
8                    68.288      1.40     1.88300    40.76
9                    12.046      6.89
10                   -22.888      1.20     1.43875    94.93
11                    20.618      0.10
12                    19.429      5.00     1.63980    34.46
13                   -41.580      可変
14                   -20.885      1.30     1.69680    55.53
15                  1358.863      1.45     1.75211    25.05
16                   -67.178      可変
17（絞り）              ∞        1.52
18                    32.147      3.40     1.49650    81.53
19                   -38.977      0.15
20                    25.200      4.70     1.51742    52.43
21                   -23.274      1.00     1.81600    46.62
22                    37.095      可変
23（非球面）          16.864      3.60     1.49650    81.53
24（非球面）         137.532      0.15
25                    47.710      2.70     1.53172    48.84
26                  -171.062      0.15
27                 -1597.028      1.10     1.88300    40.76
28                    17.549      5.70     1.49650    81.53
29（非球面）         -61.762      可変
30                      ∞        4.57     1.51633    64.14
31                      ∞       31.02
像面                    ∞
非球面データ
第７面
K=-92.354,A4=4.21545E-05,A6=-1.26291E-07,A8=3.13014E-10,A10=-4.66794E-13
第２３面
K=0.105,A4=-1.30987E-05,A6=-8.36294E-08,A8=-1.40926E-10,A10=3.72496E-12
第２４面
K=-189.705,A4=-1.64354E-05,A6=-2.96768E-07,A8=1.54547E-09,A10=1.88779E-12
第２９面
K=-85.536,A4=3.16927E-05,A6=8.39061E-07,A8=-2.83567E-09,A10=1.48768E-11
各種データ
W         WS        S         TS        T
焦点距離      14.28     25.25     45.74     83.01    147.00
Ｆナンバー     3.65      4.59      5.16      5.62      5.86
画角(°)      77.91     47.15     26.79     14.97      8.53
像高          11.15     11.15     11.15     11.15     11.15
レンズ全長   124.22    131.58    155.04    179.61    197.16
ＢＦ          34.13     47.67     61.88     68.70     77.82
d6             0.70      9.57     26.07     47.13     59.32 
d13            3.46      3.46      3.46      3.46      3.46 
d16           21.69     12.03      7.18      4.38      0.90 
d22            8.69      3.30      0.89      0.38      0.10 
d29            0.10     13.63     27.85     34.67     43.79 
（ＯＤ＝２５０ｍｍ）
d6             1.11      9.69     25.31     44.46     54.24 
d13            0.83      0.83      0.83      0.83      0.83 
d16           23.92     14.55     10.59      9.68      8.62 
d22            8.69      3.30      0.89      0.38      0.10 
d29            0.10     13.63     27.85     34.67     43.79 
ズームレンズ群データ
群          始面          焦点距離
1            1              0.00
2            7              0.00 
3           18              0.00
4           23              0.00
【０２１７】
数値実施例６
単位     ｍｍ
面データ
面番号                  ｒ         ｄ        ｎｄ      νｄ
1                    87.147      1.55     1.84666    23.78
2                    56.997      5.60     1.49700    81.54
3                  -349.532      0.15
4                    37.139      3.30     1.58913    61.14
5                    67.345      可変
6（非球面）          82.089      0.08     1.51940    51.94
7                    48.072      1.40     1.88300    40.76
8                    10.155      5.64
9                   -27.770      1.20     1.61800    63.33
10                    15.804      0.10
11                    15.247      4.40     1.75520    27.51
12                   -54.632      可変
13                   -18.460      1.40     1.69680    55.53
14                   -29.236      可変
15（絞り）              ∞        0.90
16                    26.843      2.75     1.49650    81.53
17                  -166.370      0.15
18                    16.735      4.32     1.51742    52.43
19                   -31.564      1.00     1.81600    46.62
20                    19.818      可変
21（非球面）          12.969      4.10     1.49650    81.53
22（非球面）         -83.449      0.30
23                    61.229      1.10     1.88300    40.76
24                    15.215      4.96     1.49650    81.53
25（非球面）         -44.953      可変
26                      ∞        4.57     1.51633    64.14
27                      ∞       31.02
像面                    ∞
非球面データ
第６面
K=-98.366,A4=6.37486E-05,A6=-3.48624E-07,A8=1.54178E-09,A10=-3.77516E-12
第２１面
K=0.194,A4=-3.04099E-05,A6=-3.20430E-07,A8=3.56484E-09,A10=-5.12651E-11
第２２面
K=-228.649,A4=-5.28238E-05,A6=1.43724E-07,A8=-2.84891E-09,A10=6.56621E-12
第２５面
K=-70.088,A4=7.71053E-06,A6=2.20903E-06,A8=-1.38756E-08,A10=1.63404E-10
各種データ
W         WS        S         TS        T
焦点距離      14.28     20.63     31.10     46.51     69.60
Ｆナンバー     3.57      4.10      4.85      5.23      5.71
画角(°)      78.29     56.31     38.71     26.35     17.86
像高          11.15     11.15     11.15     11.15     11.15
レンズ全長   101.76    108.20    118.68    132.33    144.08
ＢＦ          34.13     40.54     48.99     52.99     59.64
D5             0.41      6.74     13.97     26.22     34.23 
d12            3.13      3.13      3.13      3.13      3.13 
d14           13.69      9.14      6.03      4.61      2.31 
d20            5.99      4.23      2.15      0.97      0.35 
d25            0.10      6.51     14.95     18.95     25.61 
（ＯＤ＝２５０ｍｍ）
D5             0.12      6.19     12.99     24.20     31.03 
d12            1.04      1.04      1.04      1.04      1.04 
d14           16.08     11.78      9.10      8.72      7.61 
d20            5.99      4.23      2.15      0.97      0.35 
d25            0.10      6.51     14.95     18.95     25.61 
ズームレンズ群データ
群          始面          焦点距離
1            1              0.00
2            7              0.00 
3           18              0.00
4           23              0.00
【０２１８】
数値実施例７
単位     ｍｍ
面データ
面番号                  ｒ         ｄ        ｎｄ      νｄ
1                   107.197      1.55     1.84666    23.78
2                    68.174      5.40     1.49700    81.54
3                  -279.231      0.15
4                    48.275      2.95     1.58913    61.14
5                    94.452      可変
6（非球面）          72.971      0.08     1.51940    51.94
7                    54.978      1.40     1.88300    40.76
8                    11.855      7.11
9                   -22.670      1.20     1.49700    81.54
10                    18.916      0.10
11                    18.809      4.41     1.74077    27.79
12                   -47.377      可変
13                   -20.952      1.40     1.70000    48.08
14                   -64.362      可変
15（絞り）              ∞        0.90
16                    50.786      3.00     1.49700    81.54
17                   -42.336      0.15
18                    21.946      4.21     1.54072    47.23
19                   -24.776      1.00     1.83481    42.71
20                    37.044      可変
21（非球面）          15.220      3.90     1.49650    81.53
22（非球面）         205.521      0.15
23                    60.192      1.90     1.48749    70.23
24                  -238.317      0.15
25                   167.528      1.10     1.88300    40.76
26                    18.019      5.50     1.49650    81.53
27（非球面）         -59.022      可変
28                      ∞        4.57     1.51633    64.14
29                      ∞       31.02
像面                    ∞
非球面データ
第６面
K=-98.366,A4=5.62842E-05,A6=-2.58320E-07,A8=1.00041E-09,A10=-2.03832E-12
第２１面
K=0.194,A4=-1.26731E-05,A6=-1.56138E-07,A8=-3.37425E-10,A10=4.17103E-12
第２２面
K=-228.649,A4=-1.46885E-05,A6=-4.19771E-07,A8=1.94550E-09,A10=5.22059E-12
第２面
K=-70.088,A4=5.30836E-05,A6=1.05694E-06,A8=-2.15991E-09,A10=2.63798E-11
各種データ
W         WS        S         TS        T
焦点距離      14.28     22.96     37.32     61.27     99.60
Ｆナンバー     3.57      4.10      4.85      5.23      5.71
画角(°)      78.48     50.46     32.21     20.11     12.51
像高          11.15     11.15     11.15     11.15     11.15
レンズ全長   110.06    120.05    135.04    153.18    170.99
ＢＦ          34.18     42.42     52.49     64.03     73.48
d5             0.15     11.16     22.41     33.56     44.89 
d12            3.30      3.30      3.30      3.30      3.30 
d14           17.72     11.49      7.27      4.17      1.48 
d20            7.00      3.97      1.86      0.41      0.13 
d27            0.15      8.38     18.46     30.00     39.45 
（ＯＤ＝２５０ｍｍ）
d5             0.68     11.23     21.84     32.03     41.79 
d12            0.82      0.82      0.82      0.82      0.82 
d14           19.72     13.89     10.30      8.17      7.05 
d20            7.00      3.97      1.86      0.41      0.13 
d27            0.15      8.38     18.46     30.00     39.45 
ズームレンズ群データ
群          始面          焦点距離
1            1              0.00
2            6              0.00 
3           16              0.00
4           21              0.00
【０２１９】
数値実施例８
単位     ｍｍ
面データ
面番号                  ｒ         ｄ        ｎｄ      νｄ
1                    75.928      1.55     1.85026    32.27
2                    53.250      0.15
3                    52.545      8.00     1.43875    94.93
4                  -593.994      0.15
5                    61.008      4.30     1.49700    81.54
6                   195.019      可変
7（非球面）          62.480      0.08     1.51940    51.94
8                    68.588      1.40     1.88300    40.76
9                    13.115      6.20
10                   -43.456      1.20     1.59201    67.02
11                    17.953      0.17
12                    18.433      4.50     1.68893    31.07
13                   -75.648      可変
14                   -20.745      1.30     1.69680    55.53
15                    21.925      2.75     1.80100    34.97
16                  -147.418      可変
17（絞り）              ∞        1.41
18                    32.197      3.40     1.49700    81.54
19                   -48.659      0.15
20                    24.688      5.10     1.58267    46.42
21                   -22.064      1.00     1.80610    40.92
22                    33.231      可変
23（非球面）          16.483      3.80     1.49700    81.54
24（非球面）         138.428      0.15
25                    52.558      2.40     1.51633    64.14
26                   -86.807      0.15
27                  -126.753      1.10     1.79952    42.22
28                    16.842      4.90     1.51633    64.14
29（非球面）         -80.871      可変
30                      ∞        4.57     1.51633    64.14
31                      ∞       31.02
像面                    ∞
非球面データ
第７面
K=-61.336,A4=4.39741E-05,A6=-1.88765E-07,A8=6.33712E-10,A10=-1.12638E-12
第２３面
K=0.026,A4=-1.19607E-05,A6=-3.20580E-08,A8=-3.16624E-10,A10=8.98739E-12
第２４面
K=-249.337,A4=-2.01300E-05,A6=-3.24072E-07,A8=2.27139E-09,A10=1.47374E-12
第２９面
K=-127.935,A4=5.54887E-05,A6=7.74653E-07,A8=-3.35567E-09,A10=3.33225E-11
各種データ
W         WS        S         TS        T
焦点距離      14.28     26.61     50.10     94.99    180.00
Ｆナンバー     3.65      4.59      5.16      5.62      5.89
画角(°)      78.40     44.88     24.45     13.08      6.97
像高          11.15     11.15     11.15     11.15     11.15
レンズ全長   123.56    133.80    160.45    185.62    203.69
ＢＦ          34.58     50.08     65.87     74.28     84.03
d6             0.10      9.71     27.16     47.52     59.98 
d13            3.18      3.18      3.18      3.18      3.18 
d16           21.48     11.98      7.46      4.70      1.10 
d22            8.90      3.55      1.48      0.64      0.10 
d29            0.56     16.05     31.84     40.24     50.00 
（ＯＤ＝２５０ｍｍ）
d6             0.10      9.38     25.88     44.32     53.96 
d13            1.25      1.25      1.25      1.25      1.25 
d16           23.41     14.24     10.66      9.84      9.05 
d22            8.90      3.55      1.48      0.64      0.10 
d29            0.56     16.05     31.84     40.24     50.00
ズームレンズ群データ
群          始面          焦点距離
1            1              0.00
2            7              0.00 
3           18              0.00
4           23              0.00
【０２２０】
図９〜図１６は実施例１〜８の光学系の（ａ）広角端（W-INF）、（ｂ）中間状態（S-INF）、（ｃ）望遠端（T-INF）の無限遠合焦状態の諸収差図である。ＳＡは球面収差、ＡＳは非点収差、ＤＴは歪曲収差、ＣＣは倍率色収差を示す。球面収差と倍率色収差は、５８７．６ｎｍ（ｄ線：実線）、４３５．８ｎｍ（ｇ線：一点鎖線）及び６５６．３ｎｍ（Ｃ線：点線）の各波長における数値を示してある。また、非点収差は、実線がサジタル像面、点線がメリジオナル像面を示している。なお、ＦＮＯはＦナンバー、ωは半画角を示す。
【０２２１】
次に、上記各実施例における条件式（１）〜（９）の値を示す。ただし、条件式（４）において、Ｖｄ１ｐｉは第１レンズ群中の物体側からｉ番目の正レンズのアッベ数である。
【０２２２】
条件式           実施例１        実施例２        実施例３        実施例４
（１）            6.8914          7.1265          7.1230          7.1969
（２）            0.7584          0.5893          0.6141          0.7627
（３）            8.3399          8.4738          8.4106          8.5936
（４）(Vd1p1)    81.54           81.54           81.54           81.54
（４）(Vd1p2)    81.54           81.54           81.54           81.54
（５）            0.8263          0.8410          0.8469          0.8375
（６）            0.4851          0.4736          0.4805          0.4896
（７）            1.7912          1.9428          2.0681          1.6895
（８）            0.4596          0.7270          0.7297          0.6380
（９）           -0.1939          0.3533          0.3615         -0.2971
【０２２３】
条件式           実施例５        実施例６        実施例７        実施例８
（１）            7.3001          5.6706          6.6020          7.0755
（２）            0.6903          0.7867          0.6590          0.7720
（３）            8.7488          7.0688          8.0088          8.9505
（４）(Vd1p1)    94.93           81.54           81.54           94.93
（４）(Vd1p2)    81.54           61.14           61.14           81.54
（５）            0.8344          0.8022          0.8243          0.7905
（６）            0.4962          0.6081          0.6117          0.4452
（７）            1.3457          3.9837          1.9706          1.2728
（８）            0.6012          0.3945          0.4817          0.6165
（９）            0.0522          0.2746          0.0903          0.4153
【０２２４】
図１７は、本発明のズームレンズを用い、撮像素子として小型のＣＣＤ又はＣＭＯＳ等を用いた電子撮像装置としての一眼レフレックスカメラの断面図である。図１７において、１は一眼レフレックスカメラ（一眼レフカメラ）、２は鏡筒内に配置された撮影レンズ系、３は撮影レンズ系２を一眼レフレックスカメラ１に着脱可能とする鏡筒のマウント部であり、スクリュータイプのマウントやバヨネットタイプのマウント等が用いられる。この例では、バヨネットタイプのマウントを用いている。また、４は撮像素子面、５はバックモニタである。
【０２２５】
このような構成の一眼レフレックスカメラ１の撮影レンズ系２として、例えば上記実施例１〜８に示した本発明のズームレンズが用いられる。
【０２２６】
以上の本発明によれば、一眼レフタイプのデジタルカメラに適した交換ズームレンズとして、小型化や低コスト化の両立した高性能化しやすいズームレンズを提供することが可能となる。
【符号の説明】
【０２２７】
Ｇ１…第１レンズ群
Ｇ２…第２レンズ群
Ｇ３…第３レンズ群
Ｇ４…第４レンズ群
Ｓ…開口絞り
Ｃ…カバーガラス
１…一眼レフレックスカメラ（一眼レフカメラ）、
２…撮影レンズ系、
３…マウント部
４…撮像素子面
５…バックモニタ
【図１】
2010217549.tif 000003
【図２】
2010217549.tif 000004
【図３】
2010217549.tif 000005
【図４】
2010217549.tif 000006
【図５】
2010217549.tif 000007
【図６】
2010217549.tif 000008
【図７】
2010217549.tif 000009
【図８】
2010217549.tif 000010
【図９】
2010217549.tif 000011
【図１０】
2010217549.tif 000012
【図１１】
2010217549.tif 000013
【図１２】
2010217549.tif 000014
【図１３】
2010217549.tif 000015
【図１４】
2010217549.tif 000016
【図１５】
2010217549.tif 000017
【図１６】
2010217549.tif 000018
【図１７】
2010217549.tif 000019